【手続補正書】
【提出日】平成29年8月14日(2017.8.14)
【手続補正１】
【補正対象書類名】特許請求の範囲
【補正対象項目名】全文
【補正方法】変更
【補正の内容】
【特許請求の範囲】
【請求項１】
はんだ付け熱交換器であって、
フラットチューブと、フィンと、前記フラットチューブの各々の両端部に配置された第１および第２のヘッダチューブと、を備えるブロックと、
前記第１および第２のヘッダチューブの一方に２つ以上の位置において接続される付加チューブと
を備え、
前記付加チューブの外表面の少なくとも主要部分が、拡張外表面を提供するようにプロファイル形成されている、はんだ付け熱交換器。
【請求項２】
請求項１に記載のはんだ付け熱交換器であって、
前記付加チューブの前記外表面は、溝付外表面を備える
はんだ付け熱交換器。
【請求項３】
請求項２に記載のはんだ付け熱交換器であって、
前記溝付外表面は、長手方向に直線状に延在する溝を備える
はんだ付け熱交換器。
【請求項４】
請求項２に記載のはんだ付け熱交換器であって、
前記溝付外表面は、長手方向にコイル状に延在する溝を備える
はんだ付け熱交換器。
【請求項５】
請求項２に記載のはんだ付け熱交換器であって、
前記溝付外表面は、前記付加チューブの長手方向に対して交差する方向に延在する溝を備える
はんだ付け熱交換器。
【請求項６】
請求項１に記載のはんだ付け熱交換器であって、
前記溝付外表面を有する前記付加チューブは、押出成形チューブである
はんだ付け熱交換器。
【請求項７】
請求項１に記載のはんだ付け熱交換器であって、
前記付加チューブは、メタルシートから製造され、該メタルシートの表面は、圧延工程によって、前記メタルシートの少なくとも一方の側において拡張されている
はんだ付け熱交換器。
【請求項８】
請求項７に記載のはんだ付け熱交換器であって、
前記圧延工程が行われた後に、前記付加チューブを形成するために、前記メタルシートは、筒状形状に形成される
はんだ付け熱交換器。
【請求項９】
請求項１に記載のはんだ付け熱交換器であって、
前記付加チューブの内表面は平滑である
はんだ付け熱交換器。
【請求項１０】
請求項１に記載のはんだ付け熱交換器であって、
前記付加チューブは、前記２つ以上の位置において前記第１および第２のヘッダチューブの前記一方に前記付加チューブをはんだ付け接続するために、直線状細長部上に配置された突出型接続部を備える
はんだ付け熱交換器。
【請求項１１】
請求項１０に記載のはんだ付け熱交換器であって、
前記突出型接続部は、溝付表面を備える
はんだ付け熱交換器。
【請求項１２】
請求項１に記載のはんだ付け熱交換器であって、
前記ヘッダチューブの一方にはんだ付けされる取付部品をさらに備え、
前記取付部品は、冷媒を供給し排出するように構成され、
前記取付部品は、プロファイル形成された外表面を備える
はんだ付け熱交換器。
【請求項１３】
請求項１に記載のはんだ付け熱交換器であって、
プロファイル形成された外表面を有する保持タブをさらに備える
はんだ付け熱交換器。
【請求項１４】
請求項１に記載のはんだ付け熱交換器であって、
前記付加チューブは、複数の組立部分を備え、
前記組立部分の少なくとも１つは、プロファイル形成された外表面を備える
はんだ付け熱交換器。
【請求項１５】
請求項１４に記載のはんだ付け熱交換器であって、
前記複数の組立部分の前記プロファイル形成された外表面は、プロファイルの種類に関して異なっている
はんだ付け熱交換器。
【請求項１６】
請求項１に記載のはんだ付け熱交換器であって、
前記ヘッダチューブの少なくとも一方の外表面の少なくとも主要部分は、プロファイル形成されている
はんだ付け熱交換器。
【請求項１７】
凝縮器用の乾燥シリンダであって、
前記乾燥シリンダは、平滑な内表面と、拡張外表面を提供するように少なくとも部分的にプロファイル形成された外表面と、を有する略筒状形状を備える
乾燥シリンダ。
【請求項１８】
請求項１７に記載の乾燥シリンダであって、
前記乾燥シリンダの第１の端部に向けて配置され、前記乾燥シリンダの内部容積内に延在する第１の開口を有する第１の突出型接続部と、
前記乾燥シリンダの第２の端部に向けて配置され、前記乾燥シリンダの前記内部容積内に延在する第２の開口を有する第２の突出型接続部と、
を備え、
前記第１および第２の突出型開口は、前記乾燥シリンダと一体的に形成されている
乾燥シリンダ。
【請求項１９】
請求項１８に記載の乾燥シリンダであって、
前記第１および第２の突出型接続部の前記外表面の少なくとも一部は、拡張外表面を提供するようにプロファイル形成されている
乾燥シリンダ。
【請求項２０】
請求項１８に記載の乾燥シリンダであって、
前記乾燥シリンダは、押出成形品として形成され、該押出成形品の一部は、前記第１および第２の突出型取付部品を形成するために取り除かれる
乾燥シリンダ。
【手続補正２】
【補正対象書類名】明細書
【補正対象項目名】００１９
【補正方法】変更
【補正の内容】
【００１９】
請求項２ないし請求項１０の、従属する発展的な特徴は、ここでは個々に考慮されるものである。本発明は、例えば、以下の形態として実現可能である。
［形態１］
はんだ付け熱交換器であって、
フラットチューブと、フィンと、前記フラットチューブの各々の両端部に配置された第１および第２のヘッダチューブと、を備えるブロックと、
前記第１および第２のヘッダチューブの一方に２つ以上の位置において接続される付加チューブと
を備え、
前記付加チューブの外表面の少なくとも主要部分が、拡張外表面を提供するようにプロファイル形成されている、はんだ付け熱交換器。
［形態２］
形態１に記載のはんだ付け熱交換器であって、
前記付加チューブの前記外表面は、溝付外表面を備える
はんだ付け熱交換器。
［形態３］
形態２に記載のはんだ付け熱交換器であって、
前記溝付外表面は、長手方向に直線状に延在する溝を備える
はんだ付け熱交換器。
［形態４］
形態２に記載のはんだ付け熱交換器であって、
前記溝付外表面は、長手方向にコイル状に延在する溝を備える
はんだ付け熱交換器。
［形態５］
形態２に記載のはんだ付け熱交換器であって、
前記溝付外表面は、前記付加チューブの長手方向に対して交差する方向に延在する溝を備える
はんだ付け熱交換器。
［形態６］
形態１に記載のはんだ付け熱交換器であって、
前記溝付外表面を有する前記付加チューブは、押出成形チューブである
はんだ付け熱交換器。
［形態７］
形態１に記載のはんだ付け熱交換器であって、
前記付加チューブは、メタルシートから製造され、該メタルシートの表面は、圧延工程によって、前記メタルシートの少なくとも一方の側において拡張されている
はんだ付け熱交換器。
［形態８］
形態７に記載のはんだ付け熱交換器であって、
前記圧延工程が行われた後に、前記付加チューブを形成するために、前記メタルシートは、筒状形状に形成される
はんだ付け熱交換器。
［形態９］
形態１に記載のはんだ付け熱交換器であって、
前記付加チューブの内表面は平滑である
はんだ付け熱交換器。
［形態１０］
形態１に記載のはんだ付け熱交換器であって、
前記付加チューブは、前記２つ以上の位置において前記第１および第２のヘッダチューブの前記一方に前記付加チューブをはんだ付け接続するために、直線状細長部上に配置された突出型接続部を備える
はんだ付け熱交換器。
［形態１１］
形態１０に記載のはんだ付け熱交換器であって、
前記突出型接続部は、溝付表面を備える
はんだ付け熱交換器。
［形態１２］
形態１に記載のはんだ付け熱交換器であって、
前記ヘッダチューブの一方にはんだ付けされる取付部品をさらに備え、
前記取付部品は、冷媒を供給し排出するように構成され、
前記取付部品は、プロファイル形成された外表面を備える
はんだ付け熱交換器。
［形態１３］
形態１に記載のはんだ付け熱交換器であって、
プロファイル形成された外表面を有する保持タブをさらに備える
はんだ付け熱交換器。
［形態１４］
形態１に記載のはんだ付け熱交換器であって、
前記付加チューブは、複数の組立部分を備え、
前記組立部分の少なくとも１つは、プロファイル形成された外表面を備える
はんだ付け熱交換器。
［形態１５］
形態１４に記載のはんだ付け熱交換器であって、
前記複数の組立部分の前記プロファイル形成された外表面は、プロファイルの種類に関して異なっている
はんだ付け熱交換器。
［形態１６］
形態１に記載のはんだ付け熱交換器であって、
前記ヘッダチューブの少なくとも一方の外表面の少なくとも主要部分は、プロファイル形成されている
はんだ付け熱交換器。
［形態１７］
凝縮器用の乾燥シリンダであって、
前記乾燥シリンダは、平滑な内表面と、拡張外表面を提供するように少なくとも部分的にプロファイル形成された外表面と、を有する略筒状形状を備える
乾燥シリンダ。
［形態１８］
形態１７に記載の乾燥シリンダであって、
前記乾燥シリンダの第１の端部に向けて配置され、前記乾燥シリンダの内部容積内に延在する第１の開口を有する第１の突出型接続部と、
前記乾燥シリンダの第２の端部に向けて配置され、前記乾燥シリンダの前記内部容積内に延在する第２の開口を有する第２の突出型接続部と、
を備え、
前記第１および第２の突出型開口は、前記乾燥シリンダと一体的に形成されている
乾燥シリンダ。
［形態１９］
形態１８に記載の乾燥シリンダであって、
前記第１および第２の突出型接続部の前記外表面の少なくとも一部は、拡張外表面を提供するようにプロファイル形成されている
乾燥シリンダ。
［形態２０］
形態１８に記載の乾燥シリンダであって、
前記乾燥シリンダは、押出成形品として形成され、該押出成形品の一部は、前記第１および第２の突出型取付部品を形成するために取り除かれる
乾燥シリンダ。
［形態２１］
はんだ付け熱交換器であって、
フラットチューブ（２）とフィン（３）とからなるブロック（１）を有し、前記フラットチューブ（２）の両端部に配置されたヘッダチューブ（４）を有し、前記ヘッダチューブ（４）の一方に接続される少なくとも１つの付加チューブ（５）を有し、
前記付加チューブ（５）および／または前記ヘッダチューブ（４）の外表面（５０）の少なくとも主要部分は、プロファイル形成または拡張された構成を有する
はんだ付け熱交換器。
［形態２２］
形態２１に記載のはんだ付け熱交換器であって、
前記付加チューブ（５）および／または前記ヘッダチューブは、溝付外表面（５０）を有する
はんだ付け熱交換器。
［形態２３］
形態２２に記載のはんだ付け熱交換器であって、
前記溝（４９）は、長手方向に直線状に、または、前記長手方向にコイル状に、または、前記チューブの前記長手方向と交差する方向に延在する
はんだ付け熱交換器。
［形態２４］
形態２１ないし形態２３のいずれか一項に記載のはんだ付け熱交換器であって、
前記溝付外表面（５０）を有する前記付加チューブ（５）は、押出成形チューブである
はんだ付け熱交換器。
［形態２５］
形態２１に記載のはんだ付け熱交換器であって、
前記付加チューブ（５）は、メタルシートから製造され、
前記メタルシートの前記表面（５０）は、例えば圧延工程（７０）によって前記メタルシートの少なくとも一方の側において拡張され、
例として与えられた前記圧延工程は、好ましくは、前記付加チューブの形状の製作の前に行われる
はんだ付け熱交換器。
［形態２６］
形態２１ないし形態２５のいずれか一項に記載のはんだ付け熱交換器であって、
前記付加チューブ（５）の内表面（５９）は、好ましくは、平滑すなわち拡張されてない構成を有している
はんだ付け熱交換器。
［形態２７］
形態２１ないし形態２６のいずれか一項に記載のはんだ付け熱交換器であって、
前記付加チューブ（５）は、前記付加チューブ（５）を前記ヘッダチューブ（４）の１つにはんだ付け接続するために、直線状細長部（５８）上に配置された突出型接続部（５１）を有し、
接続部（５１）は、拡張表面、特に溝付拡張表面を有する
はんだ付け熱交換器。
［形態２８］
形態２１ないし形態２７のいずれか一項に記載のはんだ付け熱交換器であって、
前記熱交換器は、例えば冷媒を供給し排出するために、例えば前記ヘッダチューブ（４）の１つにはんだ付けされる取付部品（６）等を有し、前記取付部品（６）の前記外表面（６０）は、拡張された構成を有している
はんだ付け熱交換器。
［形態２９］
形態２１ないし形態２８のいずれか一項に記載のはんだ付け熱交換器であって、
前記熱交換器は、保持タブまたは類似の固定要素を有し、該保持タブまたは類似の固定要素の表面は、拡張された構成を有している
はんだ付け熱交換器。
［形態３０］
形態２１ないし形態２９のいずれか一項に記載のはんだ付け熱交換器であって、
前記付加チューブ（５）は、複数の組立部分（５４，５５，５６）からなり、
前記複数の組立部分のうちの少なくともいくつかは、拡張外表面を有して構成されている
はんだ付け熱交換器。
［形態３１］
形態３０に記載のはんだ付け熱交換器であって、
前記組立部分（５４，５５，５６）の前記拡張外表面は、プロファイルの種類に関して異なっている
はんだ付け熱交換器。